(57)【特許請求の範囲】
【請求項１】
無線通信システムにおけるチャネル状態測定方法であって、前記方法は端末によって行われ、
基地局からチャネル状態測定のための参照信号に関連するリソース設定を受信するステップと、
チャネル状態測定時点の前記基地局の重要な干渉階層数に関する情報を受信するステップと、
前記重要な干渉階層数及び前記リソース設定に基づいて、干渉信号のブラインド検出を用いて前記チャネル状態測定を行うステップと、を含み、
前記重要な干渉階層数は、前記チャネル状態測定時点における前記基地局の全階層数より少ない、方法。
【請求項２】
前記重要な干渉階層数に関する情報は、前記チャネル状態測定をトリガするための下りリンク制御情報と共に受信される、請求項１に記載の方法。
【請求項３】
前記参照信号として周波数分割多重化された復調参照信号が用いられる場合、前記周波数分割多重化された復調参照信号のためのリソースのうち、前記チャネル状態測定が行われるリソースに関する情報を受信するステップをさらに含み、
前記復調参照信号のためのリソースのそれぞれは、前記復調参照信号のためのポート別に設定される、請求項１に記載の方法。
【請求項４】
干渉測定のための周波数分割多重化されたリソースの数に関する情報を前記基地局から受信するステップをさらに含む、請求項１に記載の方法。
【請求項５】
前記重要な干渉階層数に関する情報は、前記参照信号が送信されるアンテナポート別に又は周波数分割多重化されたリソース別に提供される、請求項１に記載の方法。
【請求項６】
無線通信システムにおいて、チャネル状態測定を行う端末であって、
送信器及び受信器と、
前記送信器及び受信器を制御するように構成されたプロセッサと、を含み、
前記プロセッサは、
基地局からチャネル状態測定のための参照信号に関連するリソース設定を受信し、
チャネル状態測定時点の前記基地局の重要な干渉階層数に関する情報を受信し、
前記重要な干渉階層数及び前記リソース設定に基づいて、干渉信号のブラインド検出を用いて前記チャネル状態測定を行うように構成され、
前記重要な干渉階層数は、前記チャネル状態測定時点における前記基地局の全階層数より少ない、端末。
【請求項７】
前記重要な干渉階層数に関する情報は、前記チャネル状態測定をトリガするための下りリンク制御情報と共に受信される、請求項６に記載の端末。
【請求項８】
前記参照信号として周波数分割多重化された復調参照信号が用いられる場合、前記プロセッサは、前記周波数分割多重化された復調参照信号のためのリソースのうち、前記チャネル状態測定が行われるリソースに関する情報を受信するように構成され、
前記復調参照信号のためのリソースのそれぞれは、前記復調参照信号のためのポート別に設定される、請求項６に記載の端末。
【請求項９】
前記プロセッサは、干渉測定のための周波数分割多重化されたリソースの数に関する情報を前記基地局から受信するように構成される、請求項６に記載の端末。
【請求項１０】
前記重要な干渉階層数に関する情報は、前記参照信号が送信されるアンテナポート別に又は周波数分割多重化されたリソース別に提供される、請求項６に記載の端末。
【発明の詳細な説明】
【技術分野】
【０００１】
本発明は、無線通信システムに関し、具体的に、チャネル状態測定のための方法及びそのための装置に関する。
【背景技術】
【０００２】
多数の通信機器がより大きな通信容量を要求することにより、既存の無線接続技術（ｒａｄｉｏ  ａｃｃｅｓｓ  ｔｅｃｈｎｏｌｏｇｙ；ＲＡＴ）に比べて向上したモバイルブロードバンド通信の必要性が高まっている。また多数の機器及びモノを連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）も次世代通信において考慮すべき主要なイシューである。また、信頼度（ｒｅｌｉａｂｉｌｉｔｙ）及び遅延（ｌａｔｅｎｃｙ）に敏感なサービス／を考慮した通信デザインが論議されている。このように、ｅＭＢＢ（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ（ｍａｓｓｉｖｅ  ＭＴＣ；ｍＭＴＣ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代ＲＡＴの導入が論議されていて、本発明では、便宜のために、当該技術をニューラット（Ｎｅｗ  ｒａｔ）と呼ぶ。
【発明の概要】
【発明が解決しようとする課題】
【０００３】
本発明は、チャネル状態測定のための方案を提案しようとする。より詳細には、チャネル状態測定時とその後のスケジューリング時とのチャネル状態の差を考慮したチャネル状態測定のための方案を提案しようとする。
【０００４】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００５】
本発明の一実施例による無線通信システムにおいて、チャネル状態測定方法であって、前記方法は端末によって行われ、基地局からチャネル状態測定のための参照信号に関連するリソース設定を受信するステップ、前記チャネル状態測定時点の前記基地局の送信階層数又は前記チャネル状態測定に基づくスケジューリング時点の前記基地局の送信階層数に関連する情報を受信するステップ、及び前記受信した情報を用いてチャネル状態測定を行うステップを含んでもよい。
【０００６】
追加又は代案として、前記送信階層数は、前記端末のための要求される（ｄｅｓｉｒｅｄ）信号又はチャネルの送信階層数、前記端末のための干渉信号の送信階層数又は前記基地局が送信のために使用する全ての送信階層数を含んでもよい。
【０００７】
追加又は代案として、前記送信階層数に関連する情報は、前記チャネル状態測定をトリガするか、干渉測定をトリガする下りリンク制御情報と共に受信されてもよい。
【０００８】
追加又は代案として、前記参照信号として周波数分割多重化された復調参照信号が用いられる場合、前記周波数分割多重化された復調参照信号のためのリソースのうち、前記チャネル状態測定の対象となるリソースに関連する情報を受信するステップをさらに含み、前記復調参照信号のためのリソースのそれぞれは、前記復調参照信号のためのポート別に設定されてもよい。
【０００９】
追加又は代案として、前記方法は、干渉測定のための周波数分割多重化されたリソースの数に関連する情報を前記基地局から受信するステップをさらに含んでもよい。
【００１０】
追加又は代案として、前記送信階層数に関連する情報は、前記参照信号が送信されるアンテナポート別に又は周波数分割多重化されたリソース別に提供されてもよい。
【００１１】
本発明のまた別の一実施例による無線通信システムにおいて、チャネル状態測定を行う端末であって、前記端末は、送信器及び受信器、及び前記送信器及び受信器を制御するように構成されたプロセッサーを含み、前記プロセッサーは、基地局からチャネル状態測定のための参照信号に関連するリソース設定を受信して、前記チャネル状態測定時点の前記基地局の送信階層数又は前記チャネル状態測定に基づくスケジューリング時点の前記基地局の送信階層数に関連する情報を受信して、及び、前記受信された情報を用いてチャネル状態測定を行うように構成されてもよい。
【００１２】
追加又は代案として、前記送信階層数は、前記端末のための要求される信号又はチャネルの送信階層数、前記端末のための干渉信号の送信階層数又は前記基地局が送信のために使用する全ての送信階層数を含んでもよい。
【００１３】
追加又は代案として、前記送信階層数に関連する情報は、前記チャネル状態測定をトリガするか、干渉測定をトリガする下りリンク制御情報と共に受信されてもよい。
【００１４】
追加又は代案として、前記参照信号として周波数分割多重化された復調参照信号が用いられる場合、前記プロセッサーは、前記周波数分割多重化された復調参照信号のためのリソースのうち、前記チャネル状態測定の対象となるリソースに関連する情報を受信するように構成され、前記復調参照信号のためのリソースのそれぞれは、前記復調参照信号のためのポート別に設定されてもよい。
【００１５】
追加又は代案として、前記プロセッサーは、干渉測定のための周波数分割多重化されたリソースの数に関連する情報を前記基地局から受信するように構成されてもよい。
【００１６】
追加又は代案として、前記送信階層数に関連する情報は、前記参照信号が送信されるアンテナポート別に又は周波数分割多重化されたリソース別に提供されてもよい。
【００１７】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００１８】
本発明によれば、端末の下りリンク受信を効率的に行うことができる。
【００１９】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２０】
本明細書に添付する図面は本発明に対する理解を提供するためのものであり、本発明の多様な実施形態を示し、本発明の説明とともに本発明の技術的思想を説明するためのものである。
【００２１】
【図１】無線通信システムにおいて用いられる無線フレーム構造の一例を示す図である。
【図２】無線通信システムにおいて、下りリンク／上りリンク（ＤＬ／ＵＬ）スロット構造の一例を示す図である。
【図３】３ＧＰＰ  ＬＴＥ／ＬＴＥ−Ａシステムにおいて用いられる下りリンク（ｄｏｗｎｌｉｎｋ，ＤＬ）サブフレームの構造を例示する図である。
【図４】３ＧＰＰ  ＬＴＥ／ＬＴＥ−Ａシステムにおいて用いられる上りリンク（ｕｐｌｉｎｋ，ＵＬ）サブフレームの構造を例示する図である。
【図５】チャネル測定時点とスケジューリング時点との干渉電力の不一致を示す図である。
【図６】チャネル測定時点とスケジューリング時点との干渉電力の不一致を示す図である。
【図７】チャネル測定時点とスケジューリング時点との干渉電力の不一致を示す図である。
【図８】チャネル測定時点とスケジューリング時点との干渉電力の不一致を示す図である。
【図９】本発明の実施例を具現するための装置を示すブロック図である。
【発明を実施するための形態】
【００２２】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２３】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２４】
本発明において、ユーザ機器（ｕｓｅｒ  ｅｑｕｉｐｍｅｎｔ，ＵＥ）は、固定していても、移動性を有していてもよいもので、基地局（ｂａｓｅ  ｓｔａｔｉｏｎ，ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）、送信ポイント（ｔｒａｎｓｍｉｓｓｉｏｎ  ｐｏｉｎｔ；ＴＰ）などと呼ぶこともできる。以下の本発明に関する説明では、ＢＳをｅＮＢと総称する。
【００２５】
本発明でいうノード（ｎｏｄｅ）とは、ユーザ機器と通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ，ＲＲＨ）、無線リモートユニット（ｒａｄｉｏ  ｒｅｍｏｔｅ  ｕｎｉｔ，ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ，ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ，ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイする形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。  
【００２６】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２７】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ＴＸ／ＲＸ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２８】
一方、本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ  ＬＥＴ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００２９】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。  
【００３０】
図１は、無線通信システムで用いられる無線フレーム構造の一例を示す図である。特に、図１（ａ）は、３ＧＰＰ  ＬＥＴ／ＬＥＴ−Ａシステムで用いられる周波数分割デュプレックス（ｆｒｅｑｕｅｎｃｙ  ｄｉｖｉｓｉｏｎ  ｄｕｐｌｅｘ，ＦＤＤ）用フレーム構造を示しており、図１（ｂ）は、３ＧＰＰ  ＬＥＴ／ＬＥＴ−Ａシステムで用いられる時間分割デュプレックス（ｔｉｍｅ  ｄｉｖｉｓｉｏｎ  ｄｕｐｌｅｘ，ＴＤＤ）用フレーム構造を示している。  
【００３１】
図１を参照すると、３ＧＰＰ  ＬＥＴ／ＬＥＴ−Ａシステムで用いられる無線フレームは、１０ｍｓ（３０７２００Ｔｓ）の長さを有し、１０個の均等なサイズのサブフレーム（ｓｕｂｆｒａｍｅ，ＳＦ）で構成される。1無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ，ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。  
【００３２】
無線フレームは、デュプレックス（ｄｕｐｌｅｘ）技法によって別々に構成（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。  
【００３３】
表１は、ＴＤＤで、無線フレームにおけるサブフレームのＤＬ−ＵＬ構成（ｃｏｎｆｉｇｕｒａｔｉｏｎ）を例示するものである。
【００３４】
【表１】
0006834021.tif 000002
【００３５】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成（ｃｏｎｆｉｇｕｒａｔｉｏｎ）を例示するものである。
【００３６】
【表２】
0006834021.tif 000003
【００３７】
図２は、無線通信システムにおいて下りリンク／上りリンク（ＤＬ／ＵＬ）スロット構造の一例を示す図である。特に、図２は、３ＧＰＰ  ＬＥＴ／ＬＥＴ−Ａシステムのリソース格子（ｒｅｓｏｕｒｃｅ  ｇｒｉｄ）の構造を示す。アンテナポート当たりに１個のリソース格子がある。
【００３８】
図２を参照すると、スロットは、時間ドメインで複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメインで複数のリソースブロック（ｒｅｓｏｕｒｃｅ  ｂｌｏｃｋ，ＲＢ）を含む。ＯＦＤＭシンボルは、１シンボル区間を意味することもある。図２を参照すると、各スロットで送信される信号は、
0006834021.tif 000004
個の副搬送波（ｓｕｂｃａｒｒｉｅｒ）と
0006834021.tif 000005
個のＯＦＤＭシンボルとで構成されるリソース格子（ｒｅｓｏｕｒｃｅ  ｇｒｉｄ）と表現することができる。ここで、
0006834021.tif 000006
は、下りリンクスロットにおけるリソースブロック（ｒｅｓｏｕｒｃｅ  ｂｌｏｃｋ，ＲＢ）の個数を表し、
0006834021.tif 000007
は、ＵＬスロットにおけるＲＢの個数を表す。
0006834021.tif 000008
と
0006834021.tif 000009
は、ＤＬ送信帯域幅とＵＬ送信帯域幅にそれぞれ依存する。
0006834021.tif 000010
は、下りリンクスロットにおけるＯＦＤＭシンボルの個数を表し、
0006834021.tif 000011
は、ＵＬスロットにおけるＯＦＤＭシンボルの個数を表す。
0006834021.tif 000012
は、１つのＲＢを構成する副搬送波の個数を表す。
【００３９】
ＯＦＤＭシンボルは、多重接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ（ｃｙｃｌｉｃ  ｐｒｅｆｉｘ）長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
0006834021.tif 000013
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及び直流（Ｄｉｒｅｃｔ  Ｃｕｒｒｅｎｔ，ＤＣ）成分のためのヌル（ｎｕｌｌ）副搬送波に分類することができる。ＤＣ成分のためのヌル副搬送波は、未使用のまま残される副搬送波であり、ＯＦＤＭ信号生成過程或いは周波数上り変換過程で搬送波周波数（ｃａｒｒｉｅｒ  ｆｒｅｑｕｅｎｃｙ，ｆ０）にマッピング（ｍａｐｐｉｎｇ）される。搬送波周波数は中心周波数（ｃｅｎｔｅｒ  ｆｒｅｑｕｅｎｃｙ）と呼ばれることもある。
【００４０】
１ＲＢは、時間ドメインで
0006834021.tif 000014
個（例えば、７個）の連続するＯＦＤＭシンボルと定義され、周波数ドメインで
0006834021.tif 000015
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ，ＲＥ）或いはトーン（ｔｏｎｅ）という。したがって、１つのＲＢは、
0006834021.tif 000016
個のリソース要素で構成される。リソース格子における各リソース要素は、１つのスロットにおけるインデックス対（ｋ，１）によって固有に定義できる。ｋは、周波数ドメインで０から
0006834021.tif 000017
まで与えられるインデックスであり、ｌは、時間ドメインで０から
0006834021.tif 000018
まで与えられるインデックスである。
【００４１】
１サブフレームにおいて
0006834021.tif 000019
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ，ＰＲＢ）対（ｐａｉｒ）という。ＰＲＢ対を構成する２個のＲＢは、同一のＰＲＢ番号（或いは、ＰＲＢインデックス（ｉｎｄｅｘ）ともいう）を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マッピングされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０から
0006834021.tif 000020
順に番号が与えられ、
0006834021.tif 000021
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。  
【００４２】
図３は、３ＧＰＰ  ＬＥＴ／ＬＥＴ−Ａシステムで用いられる下りリンク（ｄｏｗｎｌｉｎｋ，ＤＬ）サブフレーム構造を例示する図である。
【００４３】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ  ＬＥＴで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４４】
ＰＤＣＣＨを介して送信される制御情報を下りリンク制御情報（ｄｏｗｎｌｉｎｋ  ｃｏｎｔｒｏｌ  ｉｎｆｏｒｍａｔｉｏｎ，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（ｄｏｗｎｌｉｎｋ  ｓｈａｒｅｄ  ｃｈａｎｎｅｌ，ＤＬ−ＳＣＨ）の送信フォーマット及びリソース割り当て情報、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報、ページングチャネル（ｐａｇｉｎｇ  ｃｈａｎｎｅｌ，ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割り当て情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄ  ｃｈａｎｎｅｌ，ＤＬ−ＳＣＨ）の送信フォーマット（Ｔｒａｎｓｍｉｔ  Ｆｏｒｍａｔ）及びリソース割り当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ  ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環シフトＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割り当てインデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組み合わせが下りリンク制御情報としてＵＥに送信される。  
【００４５】
一般に、ＵＥに構成された送信モード（ｔｒａｎｓｍｉｓｓｉｏｎ  ｍｏｄｅ，ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４６】
ＰＤＣＣＨは、１つ又は複数の連続した制御チャネル要素（ｃｏｎｔｒｏｌ  ｃｈａｎｎｅｌ  ｅｌｅｍｅｎｔ，ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割り当てユニット（ｕｎｉｔ）である。ＣＣＥは、複数のリソース要素グループ（ｒｅｓｏｕｒｃｅ  ｅｌｅｍｅｎｔ  ｇｒｏｕｐ，ＲＥＧ）に対応する。例えば、１ＣＣＥは９個のＲＥＧに対応し、１ＲＥＧは４個のＲＥに対応する。３ＧＰＰ  ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ，ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ  ＬＥＴ／ＬＥＴ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。以下の表は、探索空間を定義する集成レベル（ａｇｇｒｅｇａｔｉｏｎ  ｌｅｖｅｌ）を例示するものである。
【００４７】
【表３】
0006834021.tif 000022
【００４８】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ，ＢＤ））という。
【００４９】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）を割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。  
【００５０】
ＵＥがｅＮＢから受信した信号を復調するには、データ信号と比較する参照信号（ｒｅｆｅｒｅｎｃｅ  ｓｉｇｎａｌ，ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ−特定的（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＤＭ  ＲＳのみが送信される場合、データと同じプリコーダを適用して送信されるＤＭ  ＲＳは復調の目的にのみ用いることができるため、チャネル測定用ＲＳを別途に提供しなければならない。例えば、３ＧＰＰ  ＬＥＴ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００５１】
図４は、３ＧＰＰ  ＬＥＴ／ＬＥＴ−Ａシステムで用いられる上りリンク（ｕｐｌｉｎｋ，ＵＬ）サブフレーム構造の一例を示す図である。
【００５２】
図４を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌｓ）が上りリンク制御情報（ｕｐｌｉｎｋ  ｃｏｎｔｒｏｌ  ｉｎｆｏｒｍａｔｉｏｎ，ＵＣＩ）を運ぶために制御領域に割り当てられることができる。１つ又は複数のＰＵＳＣＨ（ｐｈｙｓｉｃａｌ  ｕｐｌｉｎｋ  ｓｈａｒｅｄ  ｃｈａｎｎｅｌｓ）がユーザデータを運ぶためにＵＬサブフレームのデータ領域に割り当てられてもよい。  
【００５３】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。  
【００５４】
ＰＵＣＣＨは、次の制御情報を送信するために用いることができる。
【００５５】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００５６】
−  ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００５７】
−  ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。  
【００５８】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００５９】
下記の表４に、ＬＥＴ／ＬＥＴ−ＡシステムでＰＵＣＣＨフォーマットとＵＣＩとのマッピング関係を示す。
【００６０】
【表４】
0006834021.tif 000023
【００６１】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ｃｈａｎｎｅｌ  ｓｔａｔｅ  ｉｎｆｏｒｍａｔｉｏｎ，ＣＳＩ）を運ぶために用いられ、ＰＵＣＣＨフォーマット３系列はＡＣＫ／ＮＡＣＫ情報を送信するために用いられる。
【００６２】
参照信号（Ｒｅｆｅｒｅｎｃｅ  Ｓｉｇｎａｌ；ＲＳ）
【００６３】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６４】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート（ａｎｔｅｎｎａ  ｐｏｒｔ）別に異なった参照信号が存在しなければならない。
【００６５】
参照信号は上りリンク参照信号と下りリンク参照信号とに区別できる。現在、ＬＥＴシステムには、上りリンク参照信号として、
【００６６】
i）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ，ＤＭ−ＲＳ）
【００６７】
ii）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ，ＳＲＳ）がある。      
【００６８】
一方、下りリンク参照信号としては
【００６９】
i）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ，ＣＲＳ）
【００７０】
ii）特定端末だけのための端末−特定参照信号（ＵＥ−ｓｐｅｃｉｆｉｃ  Ｒｅｆｅｒｅｎｃｅ  Ｓｉｇｎａｌ）
【００７１】
iii）ＰＤＳＣＨが送信される場合に、コヒーレントな復調のために送信される（ＤｅＭｏｄｕｌａｔｉｏｎ−Ｒｅｆｅｒｅｎｃｅ  Ｓｉｇｎａｌ，ＤＭ−ＲＳ）
【００７２】
iv）下りリンクＤＭＲＳが送信される場合に、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）
【００７３】
v）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
【００７４】
vi）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００７５】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することが可能になる。この参照信号は、データの送信される領域で送信されなければならない。
【００７６】
Ｎｅｗ  ＲＡＴ（ＮＲ）のような環境において、従来のＺＰ  ＣＳＩ−ＲＳを用いたＩＭＲと共に、ＮＺＰ（ｎｏｎ  ｚｅｒｏ  ｐｏｗｅｒ）ＣＳＩ−ＲＳ又はＤＭＲＳを活用した干渉測定方式が考慮されている。特に、これは、ＣｏＭＰのような目的のためのセル−間干渉（ｉｎｔｅｒ−ｃｅｌｌ  ｉｎｔｅｒｆｅｒｅｎｃｅ）に加えて、多重−ユーザ（ｍｕｌｔｉ−ｕｓｅｒ；ＭＵ）状況などのためのセル−内干渉（ｉｎｔｒａ−ｃｅｌｌ  ｉｎｔｅｒｆｅｒｅｎｃｅ）の測定を考慮している。例えば、基地局は、特定の端末において予想される各ＭＵ対（ら）（ｐａｉｒ（ｓ））による干渉を測定しようとするとき、端末に各干渉仮定（ｉｎｔｅｒｆｅｒｅｎｃｅ  ｈｙｐｏｔｈｅｓｉｓ）、特に、ＭＵ状況のために予想されるＭＵペアリング（ｐａｉｒｉｎｇ）を仮定した端末間干渉を端末に与えられた干渉測定リソース（ら）（ｉｎｔｅｒｆｅｒｅｎｃｅ  ｍｅａｓｕｒｅｍｅｎｔ  ｒｅｓｏｕｒｃｅ（ｓ）；ＩＭＲ（ｓ））に送信して、端末は、該当ＩＭＲ（ｓ）において測定された干渉を仮定したＣＳＩを算出及び報告する方式が考慮されている。
【００７７】
このような干渉仮定の測定のために、基地局側から干渉をエミュレーション（ｅｍｕｌａｔｉｏｎ）する方式が考えられ、そのためのリソースとしてＮＺＰ  ＣＳＩ−ＲＳ及びＤＭＲＳが考慮されている。ＮＺＰ  ＣＳＩ−ＲＳの場合、基地局が柔軟な干渉仮定に対する干渉を送信することができるが、更なるリソースが必要であり、ＤＭＲＳの場合は、既に送信されているＲＳを用いるため、別途のリソースが不要であり、また実際にデータ送信が反映されてＭＵ干渉測定に有利であるものの、基地局が干渉仮定を自由に仮定して、干渉エミュレーションは難しいというデメリットがある。この方式は、簡単に、ＮＺＰ  ＣＳＩ−ＲＳベースＩＭＲ又は／及びＤＭＲＳベースＩＭＲを設定するか、ＺＰ  ＣＳＩ−ＲＳをＮＺＰ  ＣＳＩ−ＲＳが送信される／されている領域、又は／及びＤＭＲＳ領域に設定する方式によって端末に設定してもよく、これは後述する方式によって行われることができる。
【００７８】
このように、干渉エミュレーションを用いた干渉測定を行う場合、測定した干渉電力と実際に端末がスケジュールされる時点において、互いにＭＵ階層（ｌａｙｅｒ）の数が異なり得、このため、測定干渉電力（ＰＩ’）と実際のスケジューリング時点の干渉電力（ＰＩ）との間に差が発生する可能性がある。また、要求されるチャネル（ｄｅｓｉｒｅｄ  ｃｈａｎｎｅｌ）の測定された電力ＰＤ’は、該当端末の単一−ユーザ（ｓｉｎｇｌｅ−ｕｓｅｒ；ＳＵ）動作を仮定して算出／報告され、これによって、ＰＤ’と実際のスケジューリング時点に端末が用いる送信電力（ＰＤ）も、上記のように、（ＭＵ）階層数に応じて影響を受ける。本明細書において、便宜のために、（干渉）測定時点に関連する変数名には、スケジューリング時点に関連する変数名に（’）を付加して区分する。以下、干渉エミュレーションは、ＤＭＲＳベースＩＭＲを仮定して説明するが、実際に適用するときには、ＤＭＲＳベースＩＭＲに限られない。
【００７９】
１．例示１（図５のａ）：干渉測定時点のＭＵ−階層１、実際のスケジューリング時点のＭＵ−階層２の場合（ＳＵ階層１を用いるＭＵ−ＣＳＩ測定端末が進入）
【００８０】
Ａ．干渉測定時点の要求される（ｄｅｓｉｒｅｄ）チャネル電力をＰＤ’、干渉電力をＰＩ’とするとき、
【００８１】
Ｂ．実際のスケジューリング時点において、
【００８２】
i．要求されるチャネル電力ＰＤ＝１／２ＰＤ’
【００８３】
ii．干渉電力ＰＩ＝１／２ＰＩ’
【００８４】
２．例示２（図５のｂ）：干渉測定時点のＭＵ−階層２、実際のスケジューリング時点のＭＵ−階層３の場合（ＳＵ階層１を用いるＭＵ−ＣＳＩ測定端末が進入）
【００８５】
Ａ．実際のスケジューリング時点において、
【００８６】
i．要求されるチャネル電力ＰＤ＝１／３ＰＤ’
【００８７】
ii．干渉電力ＰＩ＝２／３ＰＩ’
【００８８】
３．例示３（図５のｃ）：干渉測定時点のＭＵ−階層２、実際のスケジューリング時点のＭＵ−階層４の場合（ＳＵ階層１を用いるＭＵ−ＣＳＩ測定端末と共に他の端末が進入）
【００８９】
Ａ．実際のスケジューリング時点において、
【００９０】
i．要求されるチャネル電力ＰＤ＝１／４ＰＤ’
【００９１】
ii．干渉電力ＰＩ＝３／４ＰＩ’
【００９２】
即ち、上記のように、測定時点とスケジューリング時点の階層数が異なることにより、実際に端末に与えられる干渉電力が変わる。
【００９３】
要求されるチャネルの電力測定のために、ＬＴＥのような場合は、ＮＺＰ  ＣＳＩ−ＲＳのための電力期間（ｐｏｗｅｒ  ｔｅｒｍ）Ｐ＿ｃが定義されており、ＣＳＩ算出においてその値を考慮する。しかし、上記のような目的のために、これと同様に、ＲＲＣのような上位階層シグナリングによってＮＺＰ  ＣＳＩ−ＲＳベースＩＭＲ又は／及びＤＭＲＳベースＩＭＲの送信電力を端末に知らせる場合、上記のような動的な干渉測定状況では、各々の干渉測定状況に応じて適切なＰ＿ｃを正確な時間に知らせることができない。よって、このような問題を解決するために、以下のような方式を提案する。
【００９４】
測定時点に、ＣＱＩを算出したい端末がスケジュールされていない状況において、ＮＺＰ  ＣＳＩ−ＲＳで要求されるチャネルの電力を測定して、ＣＤＭ（ｃｏｄｅ  ｄｉｖｉｓｉｏｎ  ｍｕｌｔｉｐｌｅｘｉｎｇ）されているＤＭＲＳリソース内で干渉電力を測定する場合、ＣＤＭの長さに応じて、該当リソースにおいて測定可能なＭＵ階層の数が変わる。例えば、ＣＤＭ−４を適用したＤＭＲＳリソースの場合、該当リソースでは、最大に４階層の端末がＭＵペアリング（ｐａｉｒｉｎｇ）されて送信可能である。この場合、基地局は、複数の階層に対して、互いに同一の電力を用いて送信すると仮定できる。
【００９５】
この場合、スケジュールされる時点の（予想）階層数ｌｓを端末に知らせてもよい。これは、ＣＱＩを算出して、報告しようとする端末の数を含んでもよく、含まなくてもよい。また、これは、端末と基地局とが両方とも知っている必要がある。本明細書では、便宜のために、ｌｓにＣＱＩ算出／報告する端末の数が含まれていると仮定する。なお、ｌｓに端末の数が含まれていない場合、この後の式において
0006834021.tif 000024
と定義して、
0006834021.tif 000025
に代えて用いてもよい。
【００９６】
測定時点にｌｍ’個の干渉階層が送信されて、スケジューリング時点にｌｓ個の階層が送信される予定である場合、端末に指定された送信階層数がｌＤであるとき、測定時点の干渉電力は、ＰＩ＝ＰＩ’・（（ｌｓ−ｌＤ）／ｌｓ）となる。図６は、ｌｍ’＝２，３，４、ｌｓ＝４、ｌＤ＝１であるときの例示を示しており、このとき、ＰＩ＝ＰＩ’・（（４−１）／４）＝ＰＩ’・（３／４）となる。
【００９７】
これは、各端末のためのＤＭＲＳがビームフォーミング（ｂｅａｍｆｏｒｍｅｄ）されている場合にも成立するが、これは、基地局の送信電力を要求される（ｄｅｓｉｒｅｄ）ＵＥと干渉ＵＥが分けて有することにより、該当電力の比率に応じてビームフォーミングされたＤＭＲＳ電力が同じ比率でスケーリング（ｓｃａｌｉｎｇ）されるためである。
【００９８】
よって、基地局がｌｓを知らせる場合、端末は、測定された電力を以下のように補正して、ＣＱＩ算出に利用する。
【００９９】
●  要求されるチャネル電力PD  =  PD’・（lD／ls）
【０１００】
●  干渉電力ＰＩ＝ＰＩ’・（（ｌｓ−ｌＤ）／ｌｓ）
【０１０１】
要求されるチャネル／干渉電力がＮＺＰ  ＣＳＩ−ＲＳ測定で得られた場合、Ｐ＿ｃ値又は干渉電力のための電力調整（ａｄｊｕｓｔｍｅｎｔ）パラメータＰ＿ｃＩを反映して、ＰＤ’／ＰＩ’値を導出して用いることができる。
【０１０２】
よって、端末がスケジューリング時点の干渉を反映したＣＱＩの算出に参照するＳＩＮＲは、以下のように算出できる。
【０１０３】
●  ＳＩＮＲ＝ＰＤ’・（ｌＤ／ｌｓ）／{ＰＩ’・（（ｌｓ−ｌＤ）／ｌｓ）＋Ｎ}、Ｎ：雑音電力
【０１０４】
測定時点の結果をそのまま使用したＳＩＮＲ’の場合、ＳＩＮＲ＝ＰＤ’／{ＰＩ’＋Ｎ}、となる。
【０１０５】
即ち、以下のような仮定下で算出することができる。
【０１０６】
●  ＰＩ’＝ＰＤ’＝ＰＲｘ’（ｌｓ’＝ｌｍ’＝ｌＤ’）
【０１０７】
●  ＰＤ＋ＰＩ＝ＰＲｘ
【０１０８】
●
0006834021.tif 000026
【０１０９】
別の方式として、スケジューリング時点の干渉階層仮定の数ｌｍを端末に知らせてもよい。これは、基地局が該当端末のスケジューリング時点のｌｓが分からない場合に用いることができ、この場合、ｌｓ＝ｌｍ＋ｌDとして、端末がＣＱＩ算出を行うことができる。このために、基地局は、該当端末の階層仮定の数ｌＤを送信することができる。また、基地局がスケジューリング時点の干渉階層数が分からないか予測し難い場合、測定時点の（干渉）階層数ｌｍ’を端末に知らせて、ｌｍの代わりにｌｍ’を用いてもよい。なお、ＣＱＩ算出時点にｌＤが分からない場合、端末は、ｌＤ＝１と仮定して、ＣＱＩ算出を行うことができる。
【０１１０】
該当干渉が雑音及び他の干渉に比べて非常に大きいという状況を仮定するとき、ＳＩＮＲは、以下のように概算できる。
【０１１１】
●
0006834021.tif 000027
【０１１２】
よって、基地局は、ｌｓ／ｌｍ／ｌＤ又は／及びｌＤ／（ｌｓ−ｌＤ）の値をＳＩＮＲ比率として端末に知らせてもよい。
【０１１３】
より一般には、本明細書において提案する方式を用いて、ＣＱＩを算出／報告しようとする端末が、測定時点に既にスケジュールされている場合、スケジューリング時点の要求されるチャネル／干渉の階層数を考慮する必要がある。
【０１１４】
このように、該当端末が既にスケジュールされており、端末に与えられたＤＭＲＳ電力を要求されるチャネル電力として測定する場合は、以下のように算出することができる。
【０１１５】
●  ＰＩ’＋ＰＤ’＝ＰＲｘ’  
【０１１６】
●  ＰＩ’＝ＰＲｘ’・（ｌｍ’／ｌｓ’）＝ＰＲｘ’・（（ｌｓ’−ｌＤ’）／ｌｓ’）
【０１１７】
●  ＰＤ’＝ＰＲｘ’・（ｌＤ’／ｌｓ’）
【０１１８】
よって、以下のように算出することができる。
【０１１９】
●  要求されるチャネル電力ＰＤ＝ＰＤ’・（ｌＤ／ｌｓ）（ｌｓ’／ｌＤ’）  
【０１２０】
●  干渉電力ＰＩ＝ＰＩ’・（（ｌｓ−ｌＤ）／ｌｓ）（１ｓ’／（ｌｓ’−ｌＤ’））
【０１２１】
●  ＳＩＮＲ＝ＰＤ’・（ｌＤ／ｌｓ）（ｌｓ’／ｌＤ’）／{ＰＩ’・（（ｌｓ−ｌＤ）／ｌｓ）（１ｓ’／（ｌｓ’−ｌＤ’））＋Ｎ}、Ｎ：雑音電力
【０１２２】
この場合、端末に対して干渉測定時点の全体の階層数ｌｓ’をシグナリングすることができる。端末は既にｌＤ’を知っているため、別のシグナリングが必要ではない。
【０１２３】
該当干渉が雑音及び他の干渉に比べて非常に大きいという状況を仮定するとき、ＳＩＮＲは、以下のように概算できる。
【０１２４】
●
0006834021.tif 000028
【０１２５】
よって、基地局は、ｌｓ／ｌｍ／ｌＤ又は／及びｌＤ（ｌｓ’−ｌＤ’）／（ｌＤ’（ｌｓ−ｌＤ））の値をＳＩＮＲ比率として端末に知らせてもよい。
【０１２６】
上記のように、自身がスケジュールされていない状況において干渉を測定した場合は、以下のような仮定を用いる特別なケース（ｓｐｅｃｉａｌ  ｃａｓｅ）として見なしてもよく、これは上述した式と一致する。
【０１２７】
●  ＰＩ’＝ＰＤ’＝ＰＲｘ’（ｌｓ’＝ｌｍ’＝ｌＤ’）
【０１２８】
自身の要求されるチャネル電力をＮＺＰ  ＣＳＩ−ＲＳのような別のリソース／測定方式によって測定する場合、要求されるチャネル電力ＰＤを算出するとき、以下のように仮定して算出することができる。
【０１２９】
●  ＰＤ’＝ＰＲｘ’（ｌＤ’＝ｌｓ’）
【０１３０】
よって、以下のように算出することができる。
【０１３１】
●  要求されるチャネル電力ＰＤ＝ＰＤ’・（ｌＤ／ｌｓ）
【０１３２】
●  干渉電力ＰＩ＝ＰＩ’・（（ｌｓ−ｌＤ）／ｌｓ）（１ｓ’／（ｌｓ’−ｌＤ’））
【０１３３】
●  ＳＩＮＲ＝ＰＤ’・（ｌＤ／ｌｓ）／{ＰＩ’・（（ｌｓ−ｌＤ）／ｌｓ）（１ｓ’／（ｌｓ’−ｌＤ’））＋Ｎ}、Ｎ：雑音電力
【０１３４】
●
0006834021.tif 000029
【０１３５】
この場合、ＳＩＮＲ比率として、ｌＤ（ｌｓ’−ｌＤ’）／（ｌｓ’（ｌｓ−ｌＤ））値を端末に知らせてもよい。
【０１３６】
自身の干渉電力をＮＺＰ  ＣＳＩ−ＲＳのような別のリソース／測定方式によって測定する場合、干渉電力ＰＩを算出するとき、以下のように仮定して算出することができる。
【０１３７】
●  ＰＩ’＝ＰＲｘ’（ｌｍ’＝ｌｓ’）
【０１３８】
よって、以下のように算出することができる。
【０１３９】
●  要求されるチャネル電力ＰＤ＝ＰＤ’・（ｌＤ／ｌｓ）（ｌｓ’／ｌＤ’）  
【０１４０】
●  干渉電力ＰＩ＝ＰＩ’・（（ｌｓ−ｌＤ）／ｌｓ）  
【０１４１】
●  ＳＩＮＲ＝ＰＤ’・（ｌＤ／ｌｓ）（ｌｓ’／ｌＤ’）／{ＰＩ’・（（ｌｓ−ｌＤ）／ｌｓ）＋Ｎ}、Ｎ：雑音電力
【０１４２】
●
0006834021.tif 000030
【０１４３】
この場合、ＳＩＮＲ比率として、ｌＤ  ｌｓ’／（ｌＤ’（ｌｓ−ｌＤ））値を端末に知らせてもよい。
【０１４４】
ＤＭＲＳを介した干渉測定は、実際のＤＭＲＳ送信によって行われる必要があるため、上述したパラメータ（例えば、ｌｓ／ｌｍ’／ｌＤ）は、ＤＣＩを介して動的に端末に知らせた方が好ましい。しかし、その程度のレイテンシが必要ではない場合、ＤＣＩオーバーヘッドの減少のために、ＭＡＣシグナリング、又はＲＲＣシグナリングによって端末に設定されてもよい。後述するシグナリングも同様な方式によって端末にシグナリングできる。
【０１４５】
階層数の代わりに、測定されたＤＭＲＳ電力に対するＣＳＩ算出に用いるＤＭＲＳの電力の比率ＰＣ＿ＤＭＲＳを端末にシグナリングしてもよい。この方式は、上記とは異なり、階層ごとに均等な電力が使用されない場合にも適用できる。例えば、以下のように定義できる。
【０１４６】
●  ＰＩ＝ＰＩ’・ＰＣ＿ＤＭＲＳ
【０１４７】
このとき、要求されるチャネル電力もＭＵ階層数に応じて異なるが、要求されるチャネル電力ＰＤ＝ＰＤ’・（ｌＤ／ｌｓ）、干渉電力ＰＩ＝ＰＩ’・（（ｌｓ−ｌＤ）／ｌｓ）であることを考慮して、ＰＤ＝ＰＤ’・（１−ＰＣ＿ＤＭＲＳ）と仮定して用いることができる。
【０１４８】
●  ＰＩ＝ＰＩ’・ＰＣ＿ＤＭＲＳ
【０１４９】
●  ＰＤ＝ＰＤ’・（１−ＰＣ＿ＤＭＲＳ）
【０１５０】
●  ＳＩＮＲ＝ＰＤ’・（１−ＰＣ＿ＤＭＲＳ）／（ＰＩ’・ＰＣ＿ＤＭＲＳ＋Ｎ）、Ｎ：雑音電力
【０１５１】
或いは、基地局が階層数に応じるＰＤの変化まで考慮して、ＰＣ＿ＤＭＲＳを端末に設定することができ、それによって、以下のように、ＳＩＮＲが算出できる。
【０１５２】
●  ＳＩＮＲ＝ＰＤ’／（ＰＩ’・ＰＣ＿ＤＭＲＳ＋Ｎ）、Ｎ：雑音電力
【０１５３】
要求されるチャネルの電力調整のために、送信されたＲＳ（要求されるチャネル測定のための）電力に対するスケジューリング時点のＤＭＲＳ電力の比率ＰＣ＿Ｄｅｓｉｒｅｄを端末にシグナリングしてもよい。この場合、ＰＣ＿Ｄｅｓｉｒｅｄ及びそれによるＳＩＮＲは、以下のように定義できる。
【０１５４】
●  ＰＤ＝ＰＤ’・ＰＣ＿Ｄｅｓｉｒｅｄ
【０１５５】
●  ＳＩＮＲ＝ＰＤ’・ＰＣ＿Ｄｅｓｉｒｅｄ／（ＰＩ’・ＰＣ＿ＤＭＲＳ＋Ｎ）、Ｎ：雑音電力
【０１５６】
この方式も同様に、基地局が階層数に応じるＰＩの変化まで考慮して、ＰＣ＿Ｄｅｓｉｒｅｄを端末に設定することができ、それによって、以下のように、ＳＩＮＲが算出できる。
【０１５７】
●  ＳＩＮＲ＝ＰＤ’・ＰＣ＿Ｄｅｓｉｒｅｄ／（ＰＩ’＋Ｎ）、Ｎ：雑音電力
【０１５８】
特に、ＮＺＰ  ＣＳＩ−ＲＳを用いた干渉測定の場合、従来のＰ＿ｃ値、又は別として設定された干渉のためのＰ＿ｃの代わりに、上記値をオーバーライド（ｏｖｅｒｒｉｄｅ）して用いることができる。
【０１５９】
該当干渉が雑音及び他の干渉に比べて非常に大きいという状況を仮定するとき、ＳＩＮＲは、以下のように概算できる。
【０１６０】
●
0006834021.tif 000031
【０１６１】
このような環境を仮定して、基地局は、ＰＣ＿Ｄｅｓｉｒｅｄ／ＰＣ＿ＤＭＲＳの値を端末に知らせてもよい。
【０１６２】
階層数シグナリングと同様に、上述したシグナリング（例えば、ＰＣ＿ＤＭＲＳ、ＰＣ＿Ｄｅｓｉｒｅｄなど）は、ＤＣＩを介して動的に端末に知らせた方が好ましい。しかし、その程度のレイテンシが必要ではない場合、ＤＣＩオーバーヘッドの減少のために、ＭＡＣシグナリング又はＲＲＣシグナリングによって端末に設定してもよい。
【０１６３】
本明細書で説明した電力調整に関連するパラメータは、ＣＳＩ測定トリガが送信されるＤＣＩ、特に、要求されるチャネルと干渉測定のシグナリングが分離された場合、干渉測定トリガが送信されるＤＣＩと共に知らせてもよい。或いは、ＣＳＩ報告トリガが同じ役割を果たす場合、ＣＳＩ報告トリガが送信されるＤＣＩに含まれて送信されてもよい。
【０１６４】
本明細書で説明した電力調整に関連するパラメータが上位階層シグナリングを介して設定される場合、該当設定は、ＩＭＲ設定／リソースセッティング（ｓｅｔｔｉｎｇ）／測定セッティング／報告セッティングに含まれてもよい。
【０１６５】
ＦＤＭされたＤＭＲＳの場合は、各々のＦＤＭされたＤＭＲＳリソースにおいて、別のＤＭＲＳポートが定義され、各々のＤＭＲＳポートに応じて、互いに異なる干渉電力が予想され、特に、基地局が使用していないポートにおいて干渉を測定することは意味がないため、ＭＵ干渉も各々のＦＤＭされたＤＭＲＳリソースにおいてそれぞれ測定して、ＤＭＲＳポートごとに電力を測定した方が好ましい。よって、そのために、基地局は、各々のＦＤＭされたＤＭＲＳリソースのうち、測定対象となるリソースを端末にシグナリングしてもよい。別途のシグナリングがない場合、端末は、全てのＦＤＭされたＤＭＲＳリソースにおいて干渉測定を試み、そのために、ＤＭＲＳ−ベースＩＭＲは、各ＤＭＲＳポート又はＦＤＭされたリソースごとに別の干渉測定動作が定義される必要があり、或いは、ＺＰ  ＣＳＩ−ＲＳベースＩＭＲでＤＭＲＳ位置においてＭＵ干渉を測定しようとするときも同様に、同一のＺＰ  ＣＳＩ−ＲＳリソースにおいて各ＤＭＲＳポート位置ごとに干渉測定動作が定義される必要がある。
【０１６６】
このため、以下のように、ＩＭＲ設定を行うことができる。測定セッティングでＮＺＰ  ＣＳＩ−ＲＳ又は／及びＤＭＲＳを連結（ｌｉｎｋ）するか、ＤＭＲＳ／ＮＺＰ  ＣＳＩ−ＲＳ送信位置にＺＰ  ＣＳＩ−ＲＳを設定して、別の動的シグナリングで指示又は上位−階層シグナリングで設定された時点に該当リソースにおいて干渉を測定することができる。
【０１６７】
この場合、各ＤＭＲＳポートごとに、各階層における干渉を測定するため、別途のＺＰ  ＣＳＩ−ＲＳベースＩＭＲが各ポートごとに設定され、各リソースごとに各階層における干渉を測定するようにすることができる。この動作がポートの代わりに他のリソース（例えば、ＦＤＭされたリソース）単位又はリソースグループ単位で行われる場合、該当リソース（又は、リソースグループ）単位で別途のＺＰ  ＣＳＩ−ＲＳベースＩＭＲを設定することができる。この場合、複数のＩＭＲが１つのＣＳＩの算出に用いられてもよい。
【０１６８】
ＩＭＲは互いに異なるリソースを用いてもよく、又は同一のＩＭＲ（ＺＰ  ＣＳＩ−ＲＳ／ＮＺＰ  ＣＳＩ−ＲＳ／ＤＭＲＳベースＩＭＲ）であっても、干渉の測定方式が互いに異なってもよい。例えば、端末としてはＺＰ  ＣＳＩ−ＲＳベースＩＭＲであっても、基地局では、既存の干渉電力測定方式の代わりに、同一のＩＭＲ内において各ポートごとに、又は予め定められたリソース単位（例えば、同一のサブキャリアの２ＲＥ）ごとに、各階層に該当する干渉をエミュレーション（ｅｍｕｌａｔｉｏｎ）して送信することがあり、この場合、該当動作を端末に知らせる必要がある。このため、該当ＩＭＲ設定／リソースセッティング／測定セッティング／報告セッティングに別途の「干渉測定方法指示子（ｉｎｔｅｒｆｅｒｅｎｃｅ  ｍｅａｓｕｒｅｍｅｎｔ  ｍｅｔｈｏｄ  ｉｎｄｉｃａｔｏｒ；ＩＭＭＩ）」を設け、該当ＩＭＲがＤＭＲＳ−ベースＩＭＲであるか、ＮＺＰ  ＣＳＩ−ＲＳベースＩＭＲであるか、又はＺＰ  ＣＳＩ−ＲＳベースＩＭＲであるかを区分することができる。このとき、ＤＭＲＳ−ベースＩＭＲであるか、ＮＺＰ  ＣＳＩ−ＲＳベースＩＭＲであるか、又はＺＰ  ＣＳＩ−ＲＳベースＩＭＲであるかについては、基地局又は端末において実際に用いたリソースの区分であってもよく、或いは干渉測定方式に対する区分であってもよい。換言すれば、同じＺＰ  ＣＳＩ−ＲＳベースＩＭＲであっても、ＤＭＲＳ−のような干渉測定（ＤＭＲＳ−ｌｉｋｅ  ｉｎｔｅｒｆｅｒｅｎｃｅ  ｍｅａｓｕｒｅｍｅｎｔ）方式を用いるために、ＩＭＭＩで「ＤＭＲＳ−ベースＩＭＲ」を設定することができる。例えば、ＩＭＭＩが「ＤＭＲＳ−ベースＩＭＲ」であるとき、各ＤＭＲＳポートごとにＭＵ干渉を測定することができ、ＩＭＭＩが「ＺＰ  ＣＳＩ−ＲＳベースＩＭＲ」である場合は、そのリソースの全体において測定された（但し、ＲＢレベルを超えるリソース、例えば、副帯域（ｓｕｂｂａｎｄ）／部分帯域（ｐａｒｔｉａｌ  ｂａｎｄ）／広帯域（ｗｉｄｅｂａｎｄ）などは区分可能である）電力を干渉電力として見なすか、ＭＭＩが「ＮＺＰ  ＣＳＩ−ＲＳベースＩＭＲ」を指示する場合、干渉のチャネルそのものを測定することができる。シグナリングの更なるオーバーヘッドを減らすために、類似又は重畳する状態を１つにまとめてシグナリングしてもよい。例えば、ＤＭＲＳとＮＺＰ  ＣＳＩ−ＲＳが干渉測定の側面において同一のリソース設定を有する場合、ＩＭＭＩは、エミュレーション（ｅｍｕｌａｔｉｏｎ）−ベースＩＭＲ（即ち、ＤＭＲＳ−ベースＩＭＲ又はＮＺＰ  ＣＳＩ−ＲＳベースＩＭＲ）であるか、非−エミュレーションベースＩＭＲであるかを知らせることができる。
【０１６９】
或いは、ＩＭＭＩは、ＤＣＩを介して端末にシグナリングされ、該当リソースをさらに柔軟に用いることができる。
【０１７０】
上記のような動作のため、ＤＭＲＳとは異なる位置に設定されたＺＰ  ＣＳＩ−ＲＳ／ＮＺＰ  ＣＳＩ−ＲＳベースＩＭＲにおいて、未来の特定時点（例えば、推定されたスケジューリングの時点）のＤＭＲＳの送信をエミュレーションするＮＺＰ  ＣＳＩ−ＲＳが送信され、端末は該当リソースにおいてＤＭＲＳ−ベースＩＭＲと類似する動作で干渉を測定することができる。特に、この場合、該当端末の送信ＤＭＲＳを含んで送信して、要求される電力と干渉を同時に測定して、ＭＵ  ＣＱＩ補正のためのＣＱＩを算出／送信するようにすることができる。このような動作は、以下の「要求される（ｄｅｓｉｒｅｄ）ポート」シグナリングによって、さらにうまく動作することができる。
【０１７１】
使用する階層に応じてリソースの手順が定義されている場合、上述した方式のように、測定時点の階層の数ｌｍをシグナリングすることで、干渉を測定するＦＤＭされたＤＭＲＳリソース又は／及びポートを知らせてもよく、又はＣＤＭとＦＤＭが同時に用いられる場合のために、端末が干渉測定を試みるＦＤＭされたリソースの数ｎＦＤＭを端末に知らせてもよい。
【０１７２】
端末がＤＭＲＳポートごとに各階層にける干渉電力をブラインド検出（ｂｌｉｎｄ  ｄｅｔｅｃｔｉｏｎ；ＢＤ）する場合であっても、上述したシグナリングを用いることができる。例えば、基地局は、該当時点の送信階層数ｌｍを端末にシグナリングして、端末は、指定されたｌｍ個のＤＭＲＳポートに対してそれぞれ干渉電力を測定して用いることができる。この場合、基地局は、ｌｍの代わりに、重要な干渉階層数（ｓｉｇｎｉｆｉｃａｎｔ  ｉｎｔｅｒｆｅｒｅｎｃｅ  ｌａｙｅｒ  ｎｕｍｂｅｒ）ｌｍ＿ｓｉｇを送信して、端末にとってＢＤを試みるＤＭＲＳ階層数をより少なく指定することができる。
【０１７３】
ＤＭＲＳにおいてＣＤＭとＦＤＭが同時に用いられる場合、即ち、ＦＤＭされたＤＭＲＳリソースにおいて２個以上のＤＭＲＳポートがＣＤＭされて送信される場合、全体のＤＭＲＳリソースに対して測定した干渉電力を平均化（ａｖｅｒａｇｅ）して使用する代わりに、各ポート又はＦＤＭされたリソースごとに干渉電力を測定することができ、これを階層−間（ｉｎｔｅｒ−ｌａｙｅｒ）、特に、ＭＵ干渉として用いることができる。この場合、電力調整のためのパラメータの一部又は全部が干渉測定を試みる各ポート又は／及びＦＤＭされたＤＭＲＳリソースごとに送信されてもよい。この場合、全体ではなく、該当リソース内におけるパラメータ（例えば、測定時点にＦＤＭされたＤＭＲＳリソース内における全階層の数／要求されるチャネル階層の数／干渉階層の数）に代替されてもよい。
【０１７４】
特定の干渉階層に要求されるＵＥが従来の端末の代わりにスケジュールされる状況が考えられる。図８は、ＣＤＭされたＤＭＲＳを用いるとき、ＵＥ１の干渉階層にＵＥ１の代わりに要求されるＵＥが入る例示を示している。
【０１７５】
この場合、単純なスケーリングでは正確にＰIを補正することができないが、それは、ビームフォーミングされたＤＭＲＳにおいてＵＥ１に該当する干渉チャネルが要求されるＵＥのチャネルと類似して、結果として、最大の干渉を生成するが、実際のスケジューリング時点には、ＵＥ１に該当する干渉電力が引き出されるためである。
【０１７６】
よって、この場合、基地局は、要求されるチャネルとなり得るＤＭＲＳポート又は該当ポートが送信されるＤＭＲＳリソースを端末に知らせてもよい。端末は、該当ＤＭＲＳポート（又は、リソース）において測定された電力を除くその他の電力を干渉電力ＰＩ’と見なし、さらに該当ＤＭＲＳポートにおいて測定された電力を要求されるチャネル電力ＰＤ’と見なしてもよい。よって、この場合、いわゆる「ＭＵ  ＣＱＩ測定リソース」がＤＭＲＳに定義され、１つの設定されたリソースにおいて要求されるチャネル／干渉電力を測定することで、ＭＵ  ＣＱＩ又は既存のＣＱＩを補正する値を報告することができる。このような動作のため、基地局は、該当測定時点に、いわゆるダミーＤＭＲＳポートを該当端末のために送信する動作を行うこともできる。仮に、この動作がＮＺＰ  ＣＳＩ−ＲＳを用いたエミュレーションによって具現される場合、別途のシグナリングなく、特定のポート（例えば、設定されたＩＭＲ内の最初のＤＭＲＳポート位置）又は／及びリソースとして端末の要求されるチャネルが送信されるリソースが定義されてもよい。
【０１７７】
上述した干渉電力は、ＤＭＲＳの送信プリコーダ（ｐｒｅｃｏｄｅｒ）が変更可能なＰＲＢバンドルの端部においてそのサイズが変わることがある。よって、基地局は端末にＰＲＢバンドリングサイズを知らせ、端末は該当バンドル単位で干渉電力を測定することができる。
【０１７８】
ＤＭＲＳリソースに対してリソースグループが定義される場合、上述した「リソース」に対する動作は、リソースグループに対しても同様に動作することができる。リソースグループは、干渉測定のために別として設定されるか、又は他の目的のために設定されてもよく、これは、ＲＲＣのような上位−階層シグナリングを介して設定されてもよい。
【０１７９】
上述した干渉測定のためのリソース設定は、設定されたＮＺＰ  ＣＳＩ−ＲＳベースＩＭＲ、ＤＭＲＳ−ベースＩＭＲ、又は該当リソースに設定されたＺＰ  ＣＳＩ−ＲＳベースＩＭＲにおいて行われてもよい。特に、ＤＭＲＳ−ベースＩＭＲの場合、これは実際のＤＭＲＳのスケジューリング帯域とは関係なく、該当ＩＭＲに設定された周波数グラニュラリティ（ｇｒａｎｕｌａｒｉｔｙ）（例えば、広帯域、部分帯域又は副帯域）に対する干渉を測定するように設定されてもよい。或いは、設定された周波数グラニュラリティを無視して、要求されるチャネルを測定するＲＳ、例えば、ＮＺＰ  ＣＳＩ−ＲＳが有する周波数グラニュラリティを用いてもよい。逆に、単純化のために、ＮＺＰ  ＣＳＩ−ＲＳベースＩＭＲ／ＤＭＲＳ−ベースＩＭＲは、特定の周波数グラニュラリティ、例えば、部分帯域に限定してもよい。各々の周波数グラニュラリティは、以下のように定義されてもよい。
【０１８０】
●  部分帯域：広帯域内において、現在、端末が動作している特定のサービスのための帯域（ｂａｎｄｓ  ｆｏｒ  ｓｐｅｃｉｆｉｃ  ｓｅｒｖｉｃｅｓ  ｔｈａｔ  ｔｈｅ  ＵＥ  ｉｓ  ｃｕｒｒｅｎｔｌｙ  ｏｐｅｒａｔｉｎｇ,  ｗｉｔｈｉｎ  ｗｉｄｅｂａｎｄ.）
【０１８１】
●  副帯域：上述した部分帯域内において端末がスケジュールされ得る帯域（ｂａｎｄｓ  ｗｈｅｒｅ  ｔｈｅ  ＵＥ  ｃａｎ  ｂｅ  ｓｃｈｅｄｕｌｅｄ  ｗｉｔｈｉｎ  ｔｈｅ  ｐａｒｔｉａｌ  ｂａｎｄ.）
【０１８２】
●  広帯域：端末によって支援される最大の帯域（Ｔｈｅ  ｌａｒｇｅｓｔ  ｂａｎｄｗｉｄｔｈ  ｓｕｐｐｏｒｔｅｄ  ｂｙ  ｔｈｅ  ＵＥ）
【０１８３】
のように定義できる。この場合、部分帯域ＣＳＩ−ＲＳは、上位階層シグナリング（例えば、ＲＲＣシグナリング）を介して予め設定されてもよい。或いは、部分帯域は、物理階層の観点から互いに異なるサービスを支援するために、ＴＴＩ、サブフレーム／スロット長さ、サブキャリア間隔（ｓｕｂｃａｒｒｉｅｒ  ｓｐａｃｉｎｇ）などのシステムニューマロロジー（ｎｕｍｅｒｏｌｏｇｙ）の異なる周波数リソースに該当し得るため、以下のように定義できる。
【０１８４】
●  部分帯域：広帯域内において同一のニューマロロジー（例えば、スロット／サブフレーム長さ、ＴＴＩ、サブキャリア間隔など）を有して、端末によって支援される最大の帯域幅（Ｔｈｅ  ｌａｒｇｅｓｔ  ｂａｎｄｗｉｄｔｈ  ｓｕｐｐｏｒｔｅｄ  ｂｙ  ｔｈｅ  ＵＥ  ｗｉｔｈ  ｔｈｅ  ｓａｍｅ  ｎｕｍｅｒｏｌｏｇｙ（ｅ.ｇ.  ｓｌｏｔ／ｓｕｂｆｒａｍｅ  ｌｅｎｇｔｈ,  ＴＴＩ,  ｓｕｂｃａｒｒｉｅｒ  ｓｐａｃｉｎｇ）  ｗｉｔｈｉｎ  ｔｈｅ  ｗｉｄｅｂａｎｄ）
【０１８５】
なお、搬送波集成を考慮する場合、要素搬送波ごとにＣＳＩを別々に定義した方が好ましいため、以下のような定義がさらに正確である場合がある。
【０１８６】
●  広帯域：要素搬送波別に端末によって支援される最大の帯域幅（Ｔｈｅ  ｌａｒｇｅｓｔ  ｂａｎｄｗｉｄｔｈ  ｓｕｐｐｏｒｔｅｄ  ｂｙ  ｔｈｅ  ＵＥ  ｐｅｒ  ｃｏｍｐｏｎｅｎｔ  ｃａｒｒｉｅｒ）
【０１８７】
上述した技術を実際に適用するときには、単独又は組み合わせとして適用することができる。本明細書において言及する技術は、便宜上、ＣＤＭされたＤＭＲＳポート／ＦＤＭされたＤＭＲＳポートの例示について説明しているが、技術を実際に適用する際には、使用しようとするＤＭＲＳポートの多重化方式に関係なく適用することができる。また、上述した例示のうち、ＤＭＲＳ−ベースＩＭＲに関する例示であっても、ＮＺＰ／ＺＰ  ＣＳＩ−ＲＳベースＩＭＲにおいても同様に適用可能である。特に、上述のようなＭＵ  ＣＱＩは、非周期的ＣＳＩに用いられるＩＭＲ、特に、非周期的ＩＭＲにおいて適用可能である。本明細書において言及した例示では、ＭＵ干渉を中心として説明しているが、その他の干渉、例えば、セル−間干渉がさらに考慮され、ＣＳＩが算出される状況においても同様に適用できる。この方式は、ＣＱＩの代わりに、他の方式によって干渉を組み合わせて報告するか、干渉のみを単独で報告するなど、干渉が含まれた他の報告の方式にも適用できる。
【０１８８】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信器／受信器１３，２３と、無線通信システム内の通信と関連した各種情報を記憶するメモリ１２，２２と、送信器／受信器１３，２３及びメモリ１２，２２などの構成要素と動作的に接続してこれらの構成要素を制御し、当該装置が前述の本発明の実施例の少なくとも一つを実行するようにメモリ１２，２２及び／又は送信器／受信器１３，２３を制御するように構成されたプロセッサー１１，２１をそれぞれ備える。  
【０１８９】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ（ｃｏｎｔｒｏｌｌｅｒ）、マイクロコントローラ（ｍｉｃｒｏｃｏｎｔｒｏｌｌｅｒ）、マイクロプロセッサー（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサー１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。  
【０１９０】
送信装置１０におけるプロセッサー１１は、プロセッサー１１又はプロセッサー１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信器／受信器１３に送信する。例えば、プロセッサー１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ，ＴＢ）は一コードワードに符号化され、各コードワードは一つ以上のレイヤの形態で受信装置に送信される。周波数上り変換のために送信器／受信器１３はオシレータ（ｏｓｃｉｌｌａｔｏｒ）を含むことができる。送信器／受信器１３はＮｔ個（Ｎｔは１以上の正の整数）の送信アンテナを含むことができる。
【０１９１】
受信装置２０の信号処理過程は、送信装置１０の信号処理過程の逆となる。プロセッサー２１の制御下に、受信装置２０の送信器／受信器２３は送信装置１０から送信された無線信号を受信する。送信器／受信器２３は、Ｎｒ個の受信アンテナを含むことができ、送信器／受信器２３は受信アンテナから受信した信号のそれぞれを周波数下り変換して（ｆｒｅｑｕｅｎｃｙ  ｄｏｗｎ−ｃｏｎｖｅｒｔ）基底帯域信号に復元する。送信器／受信器２３は、周波数下り変換のためにオシレータを含むことができる。プロセッサー２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。  
【０１９２】
送信器／受信器１３，２３は一つ以上のアンテナを具備する。アンテナは、プロセッサー１１，２１の制御下に、本発明の一実施例によって、送信器／受信器１３，２３で処理された信号を外部に送信したり、外部から無線信号を受信して送信器／受信器１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ，ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送信器／受信器の場合は２個以上のアンテナに接続されてもよい。
【０１９３】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１９４】
送信装置及び／又は受信装置は、上述した本発明の実施例のうちの少なくとも１つ又は２つ以上の実施例の組み合わせを実行することができる。  
【０１９５】
このような実施例の１つであって、無線通信システムにおいて、チャネル状態測定を行う端末であって、前記端末は、送信器及び受信器；及び前記送信器及び受信器を制御するように構成されたプロセッサーを含み、前記プロセッサーは、基地局からチャネル状態測定のための参照信号に関連するリソース設定を受信して、前記チャネル状態測定時点の前記基地局の送信階層数又は前記チャネル状態測定に基づくスケジューリング時点の前記基地局の送信階層数に関連する情報を受信して、また前記受信された情報を用いてチャネル状態測定を行うように構成されてもよい。
【０１９６】
さらに、前記送信階層数は、前記端末のための要求される信号の送信階層数、前記端末のための干渉信号の送信階層数又は前記基地局が送信のために用いる全ての送信階層数を含んでもよい。 
【０１９７】
さらに、前記送信階層数に関連する情報は、前記チャネル状態測定をトリガするか、干渉測定をトリガする下りリンク制御情報と共に受信されてもよい。
【０１９８】
さらに、前記参照信号として周波数分割多重化された復調参照信号が用いられる場合、前記プロセッサーは、前記周波数分割多重化された復調参照信号のためのリソースのうち、前記チャネル状態測定の対象となるリソースに関連する情報を受信するように構成され、前記復調参照信号のためのリソースのそれぞれは、前記復調参照信号のためのポート別に設定されてもよい。
【０１９９】
さらに、前記プロセッサーは、干渉測定のための周波数分割多重化されたリソースの数に関連する情報を前記基地局から受信するように構成されてもよい。
【０２００】
さらに、前記送信階層数に関連する情報は、前記参照信号が送信されるアンテナポート別に又は周波数分割多重化されたリソース別に提供されてもよい。
【０２０１】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２０２】
本発明は端末、リレー、基地局などのような無線通信装置に利用可能である。
【図１】
0006834021.tif 000032
【図２】
0006834021.tif 000033
【図３】
0006834021.tif 000034
【図４】
0006834021.tif 000035
【図５】
0006834021.tif 000036
【図６】
0006834021.tif 000037
【図７】
0006834021.tif 000038
【図８】
0006834021.tif 000039
【図９】
0006834021.tif 000040